(57)【要約】【課題】画像変位演出の趣向性を向上させることが可能な遊技機を提供することにある。【解決手段】演出用の画像が表示される表示領域９１１を有する表示装置９１と、前記表示領域９１１に基準画像１０が表示された第一状態から、前記表示領域９１１に対して前記基準画像１０がずれたかのように表示された第二状態に変化する画像変位演出を実行することが可能な演出実行手段と、を備え、前記画像変位演出は、前記第二状態において前記表示領域９１１における前記基準画像１０が表示された領域以外の領域である特定領域９１１ｓに特定画像が表示される場合がある遊技機１とする。【選択図】図３
2018118060.tif 000002
【特許請求の範囲】
【請求項１】
当否判定結果を報知するための識別図柄および演出用の画像が表示される表示領域を有する表示装置と、
前記表示領域に前記識別図柄を含む基準画像が表示されている第一状態と、当該第一状態の後に発生する状態であって前記基準画像が前記表示領域に対してずれたかのように表示されている第二状態と、を含む画像変位演出を実行することが可能な演出実行手段と、
を備え、
前記画像変位演出では、前記第二状態において前記表示領域における前記基準画像が表示されている領域以外の領域を用いて前記基準画像を変位させているかのような画像が表示されることを特徴とする遊技機。
【発明の詳細な説明】
【技術分野】
【０００１】
本発明は、遊技機に関する。
【背景技術】
【０００２】
表示領域に画像が表示された状態から、当該画像が表示領域に対してずれたかのような状態に変化させる演出（画像変位演出と称する）を実行することが可能な遊技機が公知である（例えば、下記特許文献１参照）。
【先行技術文献】
【特許文献】
【０００３】
【特許文献１】特開２０１６−１９８３５９号公報
【発明の概要】
【発明が解決しようとする課題】
【０００４】
本発明が解決しようとする課題は、画像変位演出の趣向性を向上させることが可能な遊技機を提供することにある。
【課題を解決するための手段】
【０００５】
上記課題を解決するためになされた本発明にかかる遊技機は、当否判定結果を報知するための識別図柄および演出用の画像が表示される表示領域を有する表示装置と、前記表示領域に前記識別図柄を含む基準画像が表示されている第一状態と、当該第一状態の後に発生する状態であって前記基準画像が前記表示領域に対してずれたかのように表示されている第二状態と、を含む画像変位演出を実行することが可能な演出実行手段と、を備え、前記画像変位演出では、前記第二状態において前記表示領域における前記基準画像が表示されている領域以外の領域を用いて前記基準画像を変位させているかのような画像が表示されることを特徴とする。
【発明の効果】
【０００６】
本発明にかかる遊技機によれば、画像変位演出の趣向性を向上させることが可能である。
【図面の簡単な説明】
【０００７】
【図１】本実施形態にかかる遊技機の正面図である。
【図２】表示装置（表示領域）に表示された識別図柄および保留図柄を示した図である。
【図３】画像変位演出（第一演出態様および第二演出態様）の一例を示した図である。
【図４】特定演出の一例を説明するための図である。
【図５】第二具体例を説明するための図である。
【図６】第四具体例および第五具体例を説明するための図である。
【図７】第六具体例を説明するための図である。
【図８】第七具体例を説明するための図である。
【発明を実施するための形態】
【０００８】
以下、本発明にかかる遊技機１の一実施形態について図面を参照して詳細に説明する。まず、図１を参照して遊技機１の全体構成について簡単に説明する。
【０００９】
遊技機１は遊技盤９０を備える。遊技盤９０は、ほぼ正方形の合板により成形されており、発射装置９０８（発射ハンドル）の操作によって発射された遊技球を遊技領域９０２に案内する通路を構成するガイドレール９０３が略円弧形状となるように設けられている。
【００１０】
遊技領域９０２には、表示装置９１、始動入賞口９０４、大入賞口９０６、アウト口などが設けられている。かかる表示装置９１の表示領域９１１は、遊技盤９０に形成された開口９０１を通じて視認可能となる領域である。なお、表示領域９１１の形状等は適宜変更可能である（開口９０１の形状や大きさ、表示装置９１自体の形状や大きさを変更することで表示領域９１１の形状等を変更することができる）。
【００１１】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００１２】
このような遊技機１では、発射装置９０８を操作することにより遊技領域９０２に向けて遊技球を発射する。遊技領域９０２を流下する遊技球が、始動入賞口９０４や大入賞口９０６等の入賞口に入賞すると、所定の数の賞球が払出装置により払い出される。
【００１３】
大当たりの抽選は、図示されない制御基板に設けられた当否判定手段が始動入賞口９０４への遊技球の入賞を契機として実行する（このような始動入賞口は複数設けられていてもよい）。具体的には、始動入賞口９０４への遊技球の入賞を契機として乱数源から数値（当否判定情報）が取得され、当該数値が予め定められた大当たりの数値と同じである場合には大当たりとなり、異なる場合にははずれとなる。本実施形態では、当該数値が取得された順に当否判定結果の報知が開始される（いわゆる変動が開始される）こととなるが、ある数値が取得されたときに、それより前に取得された数値に基づく当否判定結果が報知されている際には、当該ある数値に基づく当否判定結果が開始されるまで、図示されない制御基板に設けられた記憶手段に記憶される。未だ当否判定の報知が開始されていない数値（以下単に保留と称することもある）の最大の記憶数（最大保留数）は適宜設定することができる。本実施形態における記憶手段が記憶できる最大保留数は、一種の始動入賞口９０４につき四つである。記憶手段に上記数値（当否判定情報）が記憶されていることは、保留図柄８０として表示される（図２参照）。なお、本実施形態では、当否判定の報知が開始される時点で、取得された数値が大当たりとなる数値か否かが判断されることとなるが、数値が取得されたときに当否判定を行い、当否判定結果自体を記憶させておく構成としてもよい（この場合には当否判定結果自体が、当否判定情報に相当することとなる）。また、取得された数値は、当否判定結果を報知する演出の具体的な内容を決定するための数値としても利用される。
【００１４】
なお、遊技機１の枠体、遊技球を貯留する下皿や上皿など、本発明に関係のない遊技機１の構成要素は説明を省略する。これらについては公知の遊技機と同様の構造のものが適用できる。
【００１５】
本実施形態では、公知の遊技機と同様に、表示装置９１の表示領域９１１に表示される識別図柄７０（図２参照）の組み合わせによって当否判定結果を遊技者に報知する。具体的には、複数種の識別図柄７０を含む識別図柄群７０ｇ（左識別図柄群７０ｇＬ、中識別図柄群７０ｇＣ、右識別図柄群７０ｇＲ）が変動を開始し、最終的に各識別図柄群７０ｇから一の識別図柄７０が選択されて停止する。大当たりに当選している場合には各識別図柄群７０ｇから選択されて停止した識別図柄７０の組み合わせは所定の組み合わせ（例えば、同じ識別図柄７０の三つ揃い）となる。はずれである場合にはそれ以外（大当たりとなる組み合わせ以外）の組み合わせとなる。なお、各図においては、識別図柄７０を構成する「数字（文字）」のみを図示するが、当該数字とキャラクタ等が組み合わされた図柄を識別図柄７０として設定することができる。
【００１６】
当否判定結果を報知する演出として、種々の演出が実行される。本実施形態では、当該演出の一種として、画像変位演出を実行することが可能である。すなわち、画像変位演出は、対象の当否判定結果を報知する一連の演出の一部として発生しうるものである。以下、当該画像変位演出について詳細に説明する。なお、特に明示した場合を除き、以下の説明において「画像」（基準画像１０等）というときは、静止画と動画の両方を含むものとする。
【００１７】
画像変位演出の基本的態様は、表示装置９１の表示領域９１１に基準画像１０が表示された第一状態（図３（ａ）に示した状態）から、表示領域９１１に対して当該基準画像１０がずれたかのように表示された第二状態（図３（ｂ）または（ｃ）に示した状態）に変位するというものである。基準画像１０は、画像変位演出の発生前に実行されていた演出（以下、当該演出を事前演出と称することもある）中に表示されていた画像に基づくものである。事前演出の具体的な態様はどのようなものであってもよい。画像変位演出前に発生しうる事前演出は複数種設定されていてもよいし、一種のみに限定されていてもよい。本実施形態では、画像変位演出の発生直前に表示されていた事前演出の画像が、画像変位演出における基準画像１０に引き継がれる。画像変位演出の発生直前に表示されている事前演出の画像は、表示領域９１１全体に表示された画像であるといえる。ただし、事前演出において表示された画像の一部のみが基準画像１０として変位する構成としてもよい。基準画像１０を静止画とする（ここでいう静止画とは、基準画像１０が表す画像の内容が遊技者から同一視できる態様に維持されることをいい、画像全体が変位することによる態様の変化を含まないという意味である）のであれば、画像変位演出の発生直前に表示されていた事前演出の画像の態様を維持しつつ基準画像１０全体を表示領域９１１に対して変位させる。基準画像１０を動画とする（ここでいう動画とは、基準画像１０が表す画像の内容が時間経過とともに変化することをいう）のであれば、画像変位演出の発生直前に表示されていた事前演出の画像からそのまま継続的に基準画像１０の態様を変化させるとともに、基準画像１０全体を表示領域９１１に対して変位させる。
【００１８】
表示領域９１１に対する基準画像１０全体の変位態様は種々考えられる。本実施形態では、基準画像１０が平面方向（表示装置９１の表示領域９１１に沿う方向をいう。以下同じ）に対してあたかも傾斜するように変位したかのような表示（三次元的に変位したかのような表示）がなされる。より具体的には、本実施形態では、基準画像１０の左側縁が奥側に、基準画像１０の右側縁が手前側に向かうように、基準画像１０があたかも回動したかのような表示がなされる（図３（ｂ）、（ｃ）参照）。ただし、かかる変位態様はあくまで一例である。基準画像１０が平面方向に沿って（上下左右いずれかの方向に）変位したかのような表示（二次元的に変位したかのような表示）がなされるようにしてもよい。また、時間経過とともに基準画像１０の変位量が変化するかのような態様（例えば、基準画像１０が揺れる態様）としてもよい。また、基準画像１０の輪郭形状が変化する態様（例えば、基準画像１０の輪郭が歪む態様）としてもよい。また、基準画像１０の変位によりその一部が表示領域９１１外に位置したかのような態様（一部が見切れる態様）としてもよい。また、画像変位演出が終了したときに再び基準画像１０が元に戻るような演出形態としてもよいし、基準画像１０が元に戻らずに全く別の画像が表示された状態に移行しうるような演出形態としてもよい。
【００１９】
画像変位演出の発生直前に表示されている事前演出の画像は表示領域９１１全体に表示された画像であるのであるから、画像変位演出における基準画像１０の変位態様がどのようなものであっても、画像変位演出発生時には表示領域９１１において基準画像１０が表示された領域と、それ以外の領域（以下、特定領域９１１ｓと称する）が生じることになる（図３（ｂ）、（ｃ）参照）。本実施形態における画像変位演出は、当該特定領域９１１ｓをも利用したものである。特定領域９１１ｓに表示される画像は、表示領域９１１に対して変位した基準画像１０の背景画像（基準画像１０が表示領域９１１に対して変位したようにみせるための画像）であるといえるところ、当該背景画像をも予告に利用するものである。
【００２０】
本実施形態における画像変位演出の態様としては、少なくとも、特定領域９１１ｓに特定画像２２が表示された第一演出態様（図３（ｂ）参照）と、特定領域９１１ｓに特定画像２２とは異なる通常画像２１が表示された第二演出態様（図３（ｃ）参照）と、が設定されている。第二演出態様は基準となる演出（デフォルトの演出）であり、第一演出態様は第二演出態様が発生したときよりも、対象となる当否判定結果が大当たりとなる蓋然性（以下、（大当たり）信頼度と称することもある）が高まったことを示唆する演出（いわゆるチャンスアップの演出）である。
【００２１】
なお、以下では通常画像２１や特定画像２２の基本的態様のみ説明する。通常画像２１や特定画像２２とともに、別の画像が表示される構成としてもよい。例えば、基準画像１０が表示領域９１１に対して変位したことを示すような画像が通常画像２１や特定画像２２に重ねて、または通常画像２１や特定画像２２とは別に表示される構成としてもよい。この種の画像としては、基準画像１０の変位を明瞭するために表示される変位方向に延びる線状の画像を例示することができる。
【００２２】
まず、第二演出態様について説明する。第二演出態様にて表示される通常画像２１は、基本的には、第一演出態様にて表示される特定画像２２と異なる態様であればよい。ただし、第二演出態様は、いわゆるチャンスアップの演出として設定された第一演出態様との関係性を考慮し（デフォルトの演出であることを考慮し）、単純な背景画像として設定されていることが好ましい。例えば、色彩のみからなるような画像を通常画像２１とすることで、基準画像１０の背景画像であることを明瞭とすることが考えられる。本実施形態における通常画像２１は、単一色（例えば黒一色）の画像である（図を分かりやすくするため、各図においては通常画像２１を無地の画像として表している）。なお、表示装置９１が、複数の画素の組み合わせによって画像を表示する表示装置である場合において、特定領域９１１ｓを構成する画素をＯＦＦとして（画素に信号を送信しないようにして）特定領域９１１ｓに表示される画像を黒一色等の通常画像２１としてもよい。このように制御される場合であっても、特定領域９１１ｓに通常画像２１が「表示」されているものとする。
【００２３】
第一演出態様について説明する。第一演出態様にて表示される特定画像２２は、基本的には、第二演出態様にて表示される通常画像２１と異なる態様であればよい。例えば、通常画像２１を黒一色の画像、特定画像２２を赤一色の画像としてもよい。ただし、第一演出態様は、いわゆるチャンスアップの演出として設定されたものであるため、単純な背景画像ではないような態様とされていることが好ましい。本実施形態における特定画像２２は、チャンスアップであることを示す好機表示２２１（かかる好機表示２２１を表す画像が本発明における付加画像に相当する）として所定のキャラクタ画像を含む（図３（ｂ）参照）。遊技者の視点でいえば、当該キャラクタ画像を見ることにより、第一演出態様とは異なる態様の演出であることを把握することができる。好機表示２２１の態様としては種々考えられる。例えば、「チャンス」といった文字を含む表示を好機表示２２１としてもよい。また、複数の好機表示２２１が表示される態様としてもよい。
【００２４】
特定画像２２における好機表示２２１以外の部分は、通常画像２１の態様と同じとされているとよい。つまり、特定画像２２は、通常画像２１と同じ態様の画像に対して好機表示２２１（付加画像）が重ね合されたかのような態様（実際に重ね合されていることを要件とするものではない。特定領域９１１ｓにおける好機表示２２１が表示された部分以外の部分に、特定領域９１１ｓに通常画像２１が表示されていたと仮定した場合の画像が表示された態様であればよい）とするとよい。本実施形態では、通常画像２１は黒一色の画像であるのであるから、当該通常画像と同じ態様の黒一色の画像に対して、好機表示２２１が手前側に表示されるように重ね合されたかのような特定画像２２の態様となる。特定画像２２における好機表示２２１を構成するレイヤと、それ以外の部分（黒一色の部分）を構成するレイヤを異なるレイヤとすれば（「レイヤ」の説明については後述）、画像の制御が容易である。このようにすることで、第一演出態様と第二演出態様の両方を体験した遊技者は、特定画像２２は通常画像２１に対して好機表示２２１が追加されたような画像であると捉えることになる。つまり、好機表示２２１が強調されることになって当該表示を見逃してしまうおそれが低減される。また、好機表示２２１が表示されたということは（第二演出態様に比して）第一演出態様はチャンスであるということを実感することになる。
【００２５】
本実施形態では、画像変位演出後に発生する可能性がある演出として特定演出が設定されている。当該特定演出は、演出の発生によって大当たり信頼度が高まったことが示される演出である。画像変位演出において、第二演出態様が実行された場合よりも、第一演出態様が実行された場合の方が、当該特定演出に移行する蓋然性が高くなるように設定されている。つまり、画像変位演出においていずれの演出態様が実行されるかということは、遊技者に有利な遊技の進行となる蓋然性を示唆しているといえる。より具体的には、本実施形態においては、画像変位演出においていずれの演出態様が実行されるかは、間接的に大当たり信頼度を示しているといえる。本実施形態における特定演出は「○○ゾーン」と称される演出とされる（図４参照）。
【００２６】
そして、上記特定画像２２が含む好機表示２２１（キャラクタの画像）は、特定演出にて表示される画像と同種の画像（遊技者からみて同一視できるという意味であって、完全に同一であることを要するものではない）を含む。本実施形態では、特定演出として設定された「○○ゾーン」中、好機表示２２１として表示されたキャラクタの画像が、変動する識別図柄７０の背景の一部（図４において当該画像２４を点線で示す）として浮かび上がるように表示される。すなわち、特定画像２２が含む好機表示２２１（付加画像）は、事後的に発生する特定演出が発生する蓋然性が高まったことを分かりやすく示唆するものであるといえる。
【００２７】
なお、このように間接的に信頼度を示すというものではなく、直接的に信頼度を示す演出としてもよい。つまり、画像変位演出を含む一連の演出の結末により対象の当否判定結果が報知される態様とした上で、第二演出態様が実行された場合よりも、第一演出態様が実行された場合の方が、当該対象の当否判定結果が大当たりとなる結末に至る蓋然性が高くなるように設定された構成とする。
【００２８】
以上説明したように、本実施形態にかかる遊技機１では、画像変位演出において基準画像１０が変位したことによって生じる表示領域９１１の特定領域９１１ｓを用いて遊技者に有利な遊技の進行となる蓋然性が示唆されることになる。つまり、基準画像１０が変位したことを示すための背景画像等が示される領域を、信頼度示唆にも利用したという点において優れるものである。
【００２９】
また、本実施形態の第一演出態様のように好機表示２２１が表示される構成とすれば、あたかも基準画像１０の裏側に好機表示２２１を示すキャラクタ等が潜んでいたかのような演出形態とすることが可能である。
【００３０】
特に、本実施形態のように基準画像１０が表示領域９１１に対して「回動」したかのような演出態様とすれば、かかる効果はさらに顕著なものとなる。具体的には、本実施形態では、左側縁が奥側に、右側縁が手前側に向かうように基準画像１０が「扉」のように回動する表示がなされた上で、好機表示２２１が基準画像１０の右側に表示される。したがって、「扉」のように基準画像１０が回動した結果、当該「扉」の裏側に潜んでいた好機表示２２１を示すキャラクタ等が現れたかのような演出形態とすることが可能である（仮に、回動方向が逆であるとすると、回動方向と好機表示２２１の位置関係が不自然なものとなるため、このような演出効果は奏されない）。
【００３１】
以下、上記実施形態にかかる遊技機１を改良、変形、具体化等した具体例について説明する。なお、以下の具体例を用いて説明する技術的事項を複数組み合わせて適用した構成としてもよい。
【００３２】
○第一具体例
画像変位演出は、一または複数の所定のタイミングにおいて発生しうる演出とする。そして、当該所定のタイミングにおいて、画像変位演出が発生することもあれば、発生しないこともある設定とする。当該タイミングにおいて画像変位演出が発生した場合には、発生しなかった場合に比して遊技者に有利な遊技の進行となる蓋然性が高くなるように設定する。
【００３３】
このように構成した場合、所定のタイミングにおける演出の状況は大きく分けて次のようなものとなる。
１）画像変位演出非発生
２）第二演出態様の画像変位演出発生
３）第一演出態様の画像変位演出発生
【００３４】
遊技者の立場でいえば、１）の状況が最も好ましくない状況であり、３）の状況が最も好ましい状況であるといえる。画像変位演出が発生しうるタイミングを既に知っている遊技者であれば、まず、当該タイミングにて画像変位演出が発生することを期待することになる。そして、画像変位演出が発生した場合には、第一演出態様が発生すること（特定画像２２が表示されること）に期待することになる。このように、遊技者は、第一段階として画像変位演出が発生することを期待し、第一段階をクリアした場合に第二段階として第一演出態様が発生することに期待するという段階的な演出形態となる。
【００３５】
○第二具体例
画像変位演出において表示される画像には、基準画像１０と特定領域９１１ｓに表示される画像（通常画像２１または特定画像２２）が含まれる。表示領域９１１に表示される画像を制御するにあたり、複数の制御対象レイヤを設定する手法（以下、形式的にレイヤ制御と称する）が公知であるところ、このような手法を用いて表示される画像を制御する場合には、特定領域９１１ｓに表示される画像のレイヤは、基準画像１０のレイヤと異なるものとすることが好ましい（図５参照）。当然ではあるが、基準画像１０は特定領域９１１ｓに表示される画像よりも手前側に表示される（基準画像１０のレイヤが優先される）。なお、特定領域９１１ｓに表示される画像のレイヤおよび基準画像１０のレイヤのそれぞれは、一つのレイヤから構成されるものであってもよいし複数のレイヤから構成されるものであってもよい。「特定領域９１１ｓに表示される画像のレイヤと基準画像１０のレイヤとが異なる」とは、特定領域９１１ｓに表示される画像を構成する一または複数のレイヤのいずれもが、基準画像１０を構成する一または複数のレイヤのいずれとも重複していないことをいう。
【００３６】
上記実施形態に則していえば、第一演出態様が発生する場合であっても、第二演出態様が発生する場合であっても、基準画像１０の態様は同じにすることが可能である一方、特定領域９１１ｓに表示される画像は第一演出態様と第二演出態様とで異なる。よって、基準画像１０のレイヤと特定領域９１１ｓに表示される画像のレイヤを異なるものとすることで、画像変位演出における画像の制御が容易になる。
【００３７】
○第三具体例
画像変位演出において、当否判定結果を示す識別図柄７０やいわゆる保留の存在を示す保留図柄８０の表示態様は種々考えられる。具体的には、以下の第一表示態様〜第三表示態様のような制御態様を例示することができる。
【００３８】
・第一表示態様
基準画像１０に、識別図柄７０や保留図柄８０が含まれるように表示する。つまり、基準画像１０の変位や変形等に合わせて識別図柄７０や保留図柄８０が変位や変形等するように構成する。画像変位演出が発生する前の状態においては、識別図柄７０や保留図柄８０が表示されているのであるから、これらの図柄を含めて画像全体を変位させるようにする。これにより、画像の変位をよりリアルなものとすることが可能である。
【００３９】
・第二表示態様
基準画像１０に識別図柄７０は含まれるものの、保留図柄８０は含まれないように制御する。つまり、図２に示すように、基準画像１０の変位や変形等に合わせて識別図柄７０が変位や変形等するものの保留図柄８０の表示態様は変化しないように構成する。画像変位演出前に表示されていた識別図柄７０を含む画像を基準画像１０として変位させるように制御して、画像の変位をリアルに表現する。一方、保留図柄８０を演出に合わせて変形等させてしまうと、現状の保留数等を遊技者が把握することが困難になってしまうから、保留図柄８０の表示態様は変化しないようにする。
【００４０】
・第三表示態様
基準画像１０に識別図柄７０および保留図柄８０の両方が含まれないように制御する。つまり、基準画像１０の変位や変形等が生じても、識別図柄７０や保留図柄８０の表示態様は変化しないように構成する。識別図柄７０は当否判定結果を示すための図柄であり、保留図柄８０は現状の保留数を把握するための図柄であって、遊技者が注目する対象であることから、画像変位演出の発生時においてもこれらの図柄の表示態様が変化しないようにする。
【００４１】
画像変位演出中も遊技者が遊技を継続した場合には保留図柄８０の表示態様（保留図柄８０の数）は変化する可能性はあるものの、識別図柄７０の表示態様は変化しない（予め決められた変動パターンに沿って表示されることになる）ということを踏まえると、上記第一表示態様〜第三表示態様のうちでは、上記第二表示態様の制御手法を選択することが最も好ましいといえる。つまり、画像変位演出中も保留の状況は遊技者に示しておいた方がよいため保留図柄８０の表示態様は維持する一方、画像変位演出中における識別図柄７０の状況は保留図柄８０ほど遊技者が注目する対象ではないと捉え識別図柄７０を利用して基準画像１０の変位をリアルなものとする第二表示態様が最もバランスのとれた表示態様であるといえる。
【００４２】
なお、上記第一表示態様〜第三表示態様のいずれを採用する場合であっても、レイヤ制御手法上、基準画像１０（識別図柄７０を除く）を構成する一または複数のレイヤ、特定領域９１１ｓに表示される基準画像１０以外の画像（通常画像２１や特定画像２２）を構成する一または複数のレイヤ、識別図柄７０の画像を構成する一または複数のレイヤ、保留図柄８０の画像を構成する一または複数のレイヤは、全て互いに異なるように設定された構成とすることが好ましい。
【００４３】
○第四具体例
基準画像１０の変位態様は一定でなくてもよい。つまり、基準画像１０が変位する態様として、互いに異なる複数種の変位態様が設定されていてもよい。例えば、基準画像１０が上方に変位したかのような態様である第一変位態様（図６（ｂ−１）、（ｂ−２）参照）と、基準画像１０が右方に変位したかのような態様である第二変位態様（図６（ｃ−１）、（ｃ−２）参照）が設定された構成とする。なお、複数種の変位態様のうちのいずれが発生したかに応じて、遊技者に有利な遊技の進行となる蓋然性が異なるように設定されていることが好ましい。
【００４４】
○第五具体例（第四具体例をさらに発展させた例）
複数種の基準画像１０の変位態様が設定された構成とする場合、それぞれの変位態様に合わせた特定画像２２（好機表示２２１）が設定された構成とする。例えば、第一変位態様の画像変位演出の第一演出態様が発生した場合には一または複数種の第一特定画像２２ａのいずれかが表示され、第二変位態様の画像変位演出の第一演出態様が発生した場合には上記第一特定画像２２ａとは異なる種類の一または複数種の第二特定画像２２ｂが表示される構成とする。例えば、一または複数種の第一特定画像２２ａは好機表示２２１としてキャラクタを含むものとし（図６（ｂ−１）参照）、一または複数種の第二特定画像２２ｂは好機表示２２１として文字を含むものとする（図６（ｃ−１）参照）ことで、両画像の種類が異なることを明確にすることができる。
【００４５】
なお、両画像の種類が異なるものであることを示す手法としてはこれ以外にも種々考えられる。第一特定画像２２ａと第二特定画像２２ｂは双方とも好機表示２２１としてキャラクタを含むものであるが、一方のキャラクタの種類と他方のキャラクタの種類は異なるといった形態（遊技者からみて異なるキャラクタを表した画像であることが把握できるようにする）としてもよい。また、第一特定画像２２ａと第二特定画像２２ｂは双方とも好機表示２２１として文字を含むものであるが、一方の文字の態様（フォントや大きさ等）と他方の文字の態様は異なるといった形態としてもよい。
【００４６】
このような構成とすることで、基準画像１０の変位態様と表示される特定画像２２の種類が関連する分かりやすい演出形態とすることが可能である。
【００４７】
○第六具体例
基準画像１０と特定領域９１１ｓに表示される画像との間には、両画像を区画する区画画像２３が表示される態様としてもよい（図７参照）。当該態様は、基準画像１０が、その輪郭を強調する画像を含むものとして表示される態様であると捉えることもできる。当該区画画像２３は、画像変位演出が発生する前の表示領域９１１に沿ったものであるかのような形状を呈するものであれば、具体的な態様はどのようなものであってもよい。このような構成とすることで、基準画像１０と特定領域９１１ｓに表示される画像の区切りを明確にすることが可能である。
【００４８】
○第七具体例
第一演出態様が発生する場合、特定画像２２が含む好機表示２２１であるキャラクタ等が、基準画像１０を変位させるかのような演出形態とする（図８参照）。つまり、特定画像２２が含む表示により、あたかも基準画像１０が変位させられている（基準画像１０が動かされている、基準画像１０の動きが促進されている）かのような演出形態とすることができる。このように、チャンスアップであることを示す特定画像２２を利用して、画像変位演出の基本的な態様である基準画像１０の変位にかかる画像を、面白みのあるものとすることが可能である。
【００４９】
また、このような構成とする場合、第一演出態様時における基準画像１０の変位態様と、第二演出態様時における基準画像１０の変位態様とを異なるものとしてもよい。つまり、第二演出態様は基準画像１０が自動的に変位しているかのような態様であり、第一演出態様は特定画像２２が含む表示によって基準画像１０が変位している（基準画像１０の変位が促進されている）かのような態様であるため、第一演出態様の方が第二演出態様に比して基準画像１０が大きく変位する、激しく変位する、といった構成として、特定画像２２が含む表示による演出効果が強調されるようにするとよい。
【００５０】
以上、本発明の実施の形態について詳細に説明したが、本発明は上記実施の形態に何ら限定されるものではなく、本発明の要旨を逸脱しない範囲で種々の改変が可能である。
【００５１】
上記実施形態にかかる遊技機１はいわゆるぱちんこ遊技機であるが、演出用の表示装置を備えた遊技機であれば、回動式遊技機等の異なる遊技機に対しても同様の技術思想が適用可能である。
【００５２】
上記実施形態から得られる具体的手段（遊技機）を以下に列挙する。
・手段１
演出用の画像が表示される表示領域を有する表示装置と、
前記表示領域に基準画像が表示された第一状態から、前記表示領域に対して前記基準画像がずれたかのように表示された第二状態に変化する画像変位演出を実行することが可能な演出実行手段と、
を備え、
前記画像変位演出では、前記第二状態において前記表示領域における前記基準画像が表示された領域以外の領域である特定領域に特定画像が表示される場合があることを特徴とする遊技機。
上記遊技機によれば、画像変位演出が発生することによって生じる特定領域に特殊な画像が表示される場合があるという趣向性の高い演出を実行することが可能である。
【００５３】
・手段２
前記画像変位演出として発生しうる態様として、
前記特定領域に前記特定画像が表示された第一演出態様と、
前記特定領域に前記特定画像とは異なる通常画像が表示された第二演出態様と、
が設定されていることを特徴とする手段１に記載の遊技機。
このように、通常画像が表示される演出態様と、それとは異なる特定画像が表示される演出態様が設定された構成とすることで、演出の趣向性をさらに向上させることが可能となる。
【００５４】
・手段３
前記第二演出態様が発生したときよりも前記第一演出態様が発生したときの方が、その後遊技者に有利な遊技の進行となる蓋然性が高くなるように設定されていることを特徴とする手段２に記載の遊技機。
このように、実行される演出態様により、遊技者に有利な遊技の進行となる蓋然性が示唆される設定とすることができる。
【００５５】
・手段４
前記特定画像は、前記通常画像と同じ態様の画像に付加画像が重ね合されたような態様を呈するものであることを特徴とする手段２または手段３に記載の遊技機。
【００５６】
・手段５
前記通常画像は、単一色の画像であることを特徴とする手段２から手段４のいずれかに記載の遊技機。
このような構成とすれば、第二演出態様の発生時における通常画像は、変位した基準画像の背景画像であるかのような演出態様とすることが可能である。
【００５７】
・手段６
前記画像変位演出の発生後に発生する可能性がある特定演出が設定されており、
前記付加画像は、前記特定演出が発生することを示唆する画像であることを特徴とする手段４、または手段４を引用する手段５に記載の遊技機。
このような構成とすれば、第一演出態様は、その後特定演出が発生する可能性を示唆するものであることを分かりやすく示すことが可能である。
【００５８】
・手段７
前記第二演出態様が発生したときよりも前記第一演出態様が発生したときの方が、前記特定演出が発生する蓋然性が高くなるように設定されていることを特徴とする手段６に記載の遊技機。
このように、第一演出態様によって特定演出が発生する蓋然性が高まったことが示唆されるようにすれば、第一演出態様発生時に表示される特定画像と、その後発生する特定演出が関連付けられた構成とすることが可能である。
【００５９】
・手段８
前記画像変位演出が発生し得るタイミングとして一または複数の所定のタイミングが設定されており、
前記所定のタイミングにおいて前記画像変位演出が発生しなかった場合よりも前記画像変位演出が発生した場合の方が、遊技者に有利な遊技の進行となる蓋然性が高くなるように設定されていることを特徴とする手段１から手段７のいずれかに記載の遊技機。
このように、所定のタイミングにおいて画像変位演出が発生しないこともある設定とすることで、発生しうる演出のバリエーションが多くなるため、遊技の趣向性向上に資する。
【符号の説明】
【００６０】
１  遊技機
１０  基準画像
２１  通常画像
２２  特定画像
２２１  好機表示
２２ａ  第一特定画像
２２ｂ  第二特定画像
２３  区画画像
７０  識別図柄
８０  保留図柄
９１  表示装置
９１１  表示領域
９１１ｓ  特定領域
【図１】
2018118060.tif 000003
【図２】
2018118060.tif 000004
【図３】
2018118060.tif 000005
【図４】
2018118060.tif 000006
【図５】
2018118060.tif 000007
【図６】
2018118060.tif 000008
【図７】
2018118060.tif 000009
【図８】
2018118060.tif 000010